(57)【要約】      （修正有）【課題】内視鏡下血腫除去術において、Ｘ線照射により、脳内の目盛を付与したシースを含めた立体的な把握を可能とするために、Ｘ線造影性のある目盛を、加工精度が良好で、量産化が可能な方法で付与する。位置目盛の長さ方向に沿った具体的な位置を示す数字目盛を付与する。【解決手段】円筒型の外筒１と円筒型の内筒２で構成される透明シースにおいて、外筒を２層構造として、２層の間に長さ方向に沿ってＸ線造影可能な位置目盛３とＸ線造影が不可能な数字目盛４を挟み、２層を密着した構造とする外筒、及び外筒に円滑に挿入・装着が可能な内筒とで構成するシースを製造する。位置目盛は、金属製薄帯をリング状に曲げたものを、２層のうちの内層表面に溝部を形成せずに２層の密着だけで固定すること、及び数字目盛は、樹脂製薄膜に数字を印刷したものを、２層のうちの内層表面に貼り付けることで、シースを製造することを特徴とする。【選択図】図１
2019076411.tif 000002
【特許請求の範囲】
【請求項１】
内視鏡下血腫除去術に用いる円筒型の外筒と円筒型の内筒で構成される透明シースにおいて、外筒を２層構造として、２層の間に長さ方向に沿ってＸ線造影可能な位置目盛とＸ線造影が不可能な数字目盛を挟み、２層を密着した構造とする外筒、及び外筒に円滑に挿入・装着が可能な内筒とで構成することを特徴とする透明シースの製造方法
【請求項２】
請求項１記載の透明シースにおいて、外筒の２層間に挟む位置目盛は、金属製薄帯をリング状に曲げたものを、２層のうちの内層表面に溝部を形成せずに２層の密着だけで固定すること、及び数字目盛は、樹脂製薄膜に数字を印刷したものを、２層のうちの内層表面に貼り付けることを特徴とする透明シースの製造方法
【発明の詳細な説明】
【技術分野】
【０００１】
本発明は、脳神経外科領域での内視鏡下血腫除去術において、穿頭された内腔を通じて、脳深部病変の近傍まで、内視鏡、吸引管等の手術器具を挿入する際に使用するガイド管の役割を果たす透明シースの製造に関する。
【背景技術】
【０００２】
脳内出血が起きた場合、低侵襲手術である内視鏡下血腫除去術を行うことが近年多くなっている。この施術方法は、頭皮を数ｃｍ程度切開して、頭蓋骨に小さな穴をあけ、そこから内視鏡と出血（血腫）を取り除くための吸引管を入れるための、透明なチューブ型のシースを出血部まで挿入する。そこから血腫を取り除き、出血の原因となった切れた血管を見つけて止血する。
【０００３】
この施術は、オリンパス株式会社より商品名「ニューロポート」と呼ばれる樹脂製の透明シースを用いて行われることが多い。この機器は、円筒型の外筒と内筒から構成されるシースで、内筒に１０ｍｍ程度の間隔で目盛が付与されているが、同じ樹脂を用いて成形され、色が付いているだけなので、内筒を外筒に挿入・装着した状態で、頭蓋骨に開けた穴より挿入する際に、外部から外筒を通して目盛が見える間は、挿入位置が確認できる。
【０００４】
シースが出血した患部に到達した後、内筒を引き抜き、内視鏡と吸引管を挿入するが、外筒には目盛が無いため、内視鏡と吸引管の挿入位置は分からず、施術者の記憶に頼らざるを得ない。
【０００５】
この問題を解決するために、特許文献１では、内筒に加えて外筒にも目盛を付けているが、この目盛はＸ線造影性が無いため、Ｘ線照射により脳内をシースを含めて立体的に把握しようとしても、目盛が無いためそれができず、目視による挿入位置の確認だけである。
【０００６】
Ｘ線造影性のある目盛を付与するために、特許文献２では、外筒にＸ線造影性のある金属リングを装着している。しかし、円筒型の薄いチューブに金属製リングを固定する環状溝部を切削加工で作製する方法を採用しているため、加工が難しく加工精度も不良で、量産ができず、未だに実用化されていない。
【０００７】
内視鏡下血腫除去術において、Ｘ線照射により、脳内の目盛を付与したシースを含めた立体的な把握を可能とするために、Ｘ線造影性のある目盛を、加工精度が良好で、量産化が可能な方法で付与することが求められている。
【先行技術文献】
【特許文献】
【０００８】
【特許文献１】特開２０００−３２５３５６号
【特許文献２】特特許第５６８０２５１号
【発明の概要】
【発明が解決しようとする課題】
【０００９】
内視鏡下血腫除去術においては、Ｘ線照射により、脳内の目盛を付与したシースを含めた立体的な把握を可能とするために、Ｘ線造影性のある目盛を、加工精度が良好で、量産化が可能な方法で付与するという課題がある。また目盛として、位置を示す等間隔の帯状の目盛に加えて、位置目盛の長さ方向に沿った具体的な位置を示す数字目盛を付与するという課題も存在する。
【課題を解決するための手段】
【００１０】
本発明は、前述した課題を解決するために、内視鏡下血腫除去術に用いる円筒型の外筒と円筒型の内筒で構成される透明シースにおいて、外筒を２層構造として、２層の間に長さ方向に沿ってＸ線造影可能な位置目盛とＸ線造影が不可能な数字目盛を挟み、２層を密着した構造とする外筒、及び外筒に円滑に挿入・装着が可能な内筒とで構成するシースを製造することを特徴とする。
【００１１】
また本発明は、該透明シースにおいて、外筒の２層間に挟む位置目盛は、金属製薄帯をリング状に曲げたものを、２層のうちの内層表面に溝部を形成せずに２層の密着だけで固定すること、及び数字目盛は、樹脂製薄膜に数字を印刷したものを、２層のうちの内層表面に貼り付けることで、シースを製造することを特徴とする。
【発明の効果】
【００１２】
本発明の透明シースには、Ｘ線造影性のある目盛を、加工精度が良好で、量産化が可能な方法で付与できる。また目盛として、位置を示す等間隔の帯状の目盛に加えて、位置目盛の長さ方向に沿った具体的な位置を示す数字目盛を付与できる。これを使用することにより、内視鏡下血腫除去術においては、Ｘ線照射により、脳内の目盛を付与したシースを含めた立体的な把握が可能なり、患者に負荷をかけずに低侵襲な手術を施し、適正な内視鏡、吸引管を求めるべき位置まで正確に挿入でき、血腫吸引、止血が可能となり、患者の治療が効果的に行われる。
【図面の簡単な説明】
【００１３】
【図１】本発明による円筒型の外筒中に円筒型の内筒を挿入・装着した透明シースの全体図。
【図２】本発明による円筒型の外筒と円筒型の内筒の挿入・装着前の図。
【図３】本発明において円筒型の外筒に目盛を付与する手順を示す図。
【発明を実施するための形態】
【００１４】
以下、図３によって、本発明の製造方法を具体的に説明する。
【００１５】
図３において,６は円筒型の外筒のうちの内層部分である。内径は１０ｍｍが基本であるが、使用する施術者の要望に応じて、６、８，１２、１５ｍｍ程度のものを追加しても良い。厚みは０．３ｍｍ程度、長さは１２０ｍｍ程度が基本である。
【００１６】
材質は、脳内に挿入しても害のある成分が溶出しないものとして、テトラフルオロエチレンーヘキサフルオロプロピレン共重合体（ＦＥＰ）、テトラフルオロエチレンーパーフルオロアルキルビニルエーテル共重合体（ＰＦＡ）等のフッ素樹脂及びポリカーボネート（ＰＣ）等を挙げることができる。
【００１７】
この円筒状の筒は、市販の樹脂をそのまま用いても良いし、または、前述した内径の金属製丸棒を芯にして、熱収縮性のある樹脂を密着させた後に、金属製丸棒を引き抜いても良い。
【００１８】
図３における７は、Ｘ線造影性のある金属製の帯であり、幅は０．５ｍｍ、厚みは０．１ｍｍが基本である。長さは６の内層表面に巻き付ける長さがあれば良く、８に示すようにリング状に曲げるが、リングの先端部が密着している必要は無い。
【００１９】
金属としては、Ｘ線造影性があり、脳内に挿入しても害のある成分が溶出しないものとして、タンタル（Ｔａ）、及びステンレス表面に金（Ａｕ）、ルテニウム（Ｒｕ）、白金（Ｐｔ）等のメッキを施したもので良い。
【００２０】
図３における９は、前述した金属製目盛の位置を示す数字目盛であり、ポリエチレンテレフタレート（ＰＥＴ）の７０ミクロン程度の厚みの樹脂に、レーザープリンターで印刷して、前述した内層６の表面に金属製リングを装着した後に、この数字目盛を貼り付ける。この数字目盛は、Ｘ線造影性のある必要はなく、位置目盛を施術者が正確に認識できれば良い。
【００２１】
図３における１０は、円筒型の外筒のうちの外層部分であり、６の内層部分の表面に貼り付けた金属製リングと数字目盛を固定するために、６に密着させて被せるものであり、熱収縮性のある樹脂を用いることで対処する。また２層の先端部（脳内に挿入する部分）は、脳内の血腫が入り込まないように、また、シースから成分が脳内に溶出しないように、封止することが望ましい。
【００２２】
６と１０は同じ材質とするのが基本であるが、脳内に挿入しても害のある成分が溶出しないことと、熱収縮性の有無、市販品が使用できるかによって、必ずしも同一とする必要は無い。
【００２３】
上述した製造方法によって作製された円筒型の外筒を示す図が、図２の左側のものである。なお、数字目盛りは、外筒に挿入された内視鏡から見たときに普通に見えるようにするために、外筒の表面に貼り付けるときは、表裏が逆になるようにする。
【００２４】
図２における右側のものは、円筒型の内筒であり、左側の外筒に円滑に挿入・装着できるように、外径を細かく作製する必要がある。従って、両者は同一のメーカーで製造することが望ましい。
【００２５】
材質としては、脳内に挿入しても害のある成分が溶出しないものとして、アクリルを基本とするが、これにこだわる必要は無い。
【００２６】
図２における円筒型の外筒に円筒型の内筒を挿入・装着したものを図１に示す。前述したように、外部から見た数字目盛りは表裏が逆になっている。
【産業上の利用可能性】
【００２７】
以下、本発明の産業上の利用可能性について説明する。
【００２８】
本発明の、Ｘ線造影性のある位置目盛と、シースの長さ方向に沿って位置を示す数字目盛を付与した、加工精度が良好で、量産化が可能なシースが提供されれば、内視鏡下血腫除去術においては、Ｘ線照射により、脳内の目盛を付与したシースを含めた立体的な把握が可能なり、患者に負荷をかけない低侵襲な手術を施すことができ、正確な血腫吸引、止血が可能となり、患者にとって革新的、効果的な治療が実現する。
【符号の説明】
【００２９】
１：円筒型の外筒
２：円筒型の内筒
３：位置目盛
４：数字目盛
５：位置及び数字目盛を付与した円筒型の外筒
６：円筒型の外筒のうちの内層部分
７：位置を示す目盛用金属製薄帯
８：金属製薄帯をリング状に曲げた図
９：数字を印刷した薄膜
１０：円筒型の外筒のうちの外層部分
【図１】
2019076411.tif 000003
【図２】
2019076411.tif 000004
【図３】
2019076411.tif 000005